(57)【要約】【課題】  低温で使用される収容容器等の一対の被密封面の間をより確実に密封することができる低温用ガスケットを提供する。【解決手段】  本低温用ガスケット１３は、一対の被密封面の間に設けられる低温用ガスケットであって、弾性を有する金属板材（オーステナイト系ステンレス鋼製などの板材）をＶ字状に折り曲げてなるガスケット本体１３１を備え、該ガスケット本体は、第１板状部１３１ａ及び第２板状部１３１ｂと、該第１板状部及び該第２板状部を連結する円弧状部１３１ｃと、を有する。【選択図】  図２
2006291984.tif 000002
【特許請求の範囲】
【請求項１】
一対の被密封面の間に設けられる低温用ガスケットであって、
弾性を有する金属板材をＶ字状に折り曲げてなるガスケット本体を備え、該ガスケット本体は、第１板状部及び第２板状部と、該第１板状部及び該第２板状部を連結する円弧状部と、を有することを特徴とする低温用ガスケット。
【請求項２】
前記第１板状部の自由端縁側に、前記一対の被密封面のうちの一方の被密封面に接触可能であるシール部材が設けられている請求項１記載の低温用ガスケット。
【請求項３】
前記第１板状部及び前記第２板状部のうちの少なくとも一方の板状部の内表面側に、他方の板状部の内表面側が接触可能である保護部材が設けられている請求項１又は２に記載の低温用ガスケット。
【請求項４】
前記金属板材が、オーステナイト系ステンレス鋼からなる請求項１乃至３のいずれか一項に記載の低温用ガスケット。
【請求項５】
前記金属板材が、銅又は銅合金からなる請求項１乃至３のいずれか一項に記載の低温用ガスケット。
【請求項６】
上方を開放してなる容器本体と、該容器本体の上方を閉塞する蓋体と、該容器本体及び該蓋体のそれぞれの被密封面の間に介在される請求項１乃至５のいずれか一項に記載の低温用ガスケットと、を備えることを特徴とする収容容器。
【請求項７】
上方を開放してなる容器本体の被密封面と、該容器本体の上方を閉塞する蓋体の被密封面との間に、請求項１乃至５のいずれか一項に記載の低温用ガスケットを介在させることを特徴とする収容容器の密封方法。
【発明の詳細な説明】
【技術分野】
【０００１】
本発明は、低温用ガスケット、それを用いる収容容器及びその密封方法に関し、さらに詳しくは、低温で使用される収容容器等の一対の被密封面の間をより確実に密封することができる低温用ガスケット、それを用いる収容容器及びその密封方法に関する。
【背景技術】
【０００２】
一般に、サブゼロ処理槽として、上方を開放してなる容器本体と、この容器本体の上縁部に載置されてその上方開放部を閉塞する蓋体と、を備えるものが知られている。そして、サブゼロ処理として、液体窒素、液化炭酸等の冷却媒体が供給される容器本体内で、金属材料等の被冷却物が０℃以下の低温（例えば、−５０以下）に冷却される。
上記サブゼロ処理では、蓋体の縁部に表裏温度差により熱応力が発生し、これにより蓋体全体が大きくたわんでしまう場合がある。その結果、容器本体と蓋体との隙間から冷却媒体が漏れて処理効率が悪化することとなる。また、容器本体及び蓋体の加工時の歪、残留応力や槽内の内圧変化等によって、容器本体及び蓋体の各接触面には局所的な変形が生じ、この場合も、やはり容器本体と蓋体との隙間から冷却媒体が漏れることとなる。
【０００３】
そこで、上記問題を解決するために、容器本体と蓋体との間にシーリング材を介在させることが提案された。
低温条件下で使用されるシーリング材としては、シリコンゴム、シリコンスポンジ等が一般的に知られている。しかし、上記サブゼロ処理槽の低温領域（例えば、−５０℃以下）においては、シリコンゴム又はシリコンスポンジ等では低温耐久性が不十分なために、短期間の使用でシーリング材に亀裂が入るといった問題があった。また、その他のシーリング材として、テフロン（登録商標）のモールディングパウダーを焼結させ削り出したものが知られているが、これは弾性力の低い材質であるため、完全な密閉を得るために、クランプ具等を用いて容器本体及び蓋体を強固に固定する必要があった。
【０００４】
他方、金属板材を折り曲げてなり、その弾性力を利用したシーリング材は、弾性メタルガスケットと称され、様々な形状、構造等を有するものが知られている（例えば、特許文献１〜３参照）。
【０００５】
上記特許文献１には、金属板材をＺ字状に折り曲げてなるガスケット本体２を備え、このガスケット本体２の表裏面に弾性体８，９をコーティングしてなるガスケットが開示されている。
また、上記特許文献２には、金属板材をコ字状に折り曲げてなる補強環１（ガスケット本体）を備え、この補強環１の一端側に嵌合シール部３を設け、補強環１の他端側にシールクリップ部を設けてなるガスケットが開示されている。
さらに、上記特許文献３には、金属板材をＣ字状に折り曲げてなるガスケット本体１を備え、このガスケット本体１の内面に沿ってＣ字状の曲板バネを設けてなるガスケットが開示されている。
【０００６】
しかし、上記特許文献１及び２では、ガスケット本体がＺ字状又はコ字状に形成されているので、ガスケット本体が弾性変形し難く、しかも被密封面に対するガスケット本体の接触面積が比較的広いものとなっている。また、上記特許文献３では、Ｃ字状のガスケット本体及び曲板バネの２重筒構造となっているので、やはり、ガスケット本体が弾性変形し難いものとなっている。その結果、上記特許文献１〜３のガスケットによって上述のサブゼロ処理槽の容器本体及び蓋体の間を密封する場合、ガスケット本体の弾性変形によって、蓋体全体のたわみを十分に吸収したり、蓋体の局所的な変形に追随したりできず、容器本体と蓋体との隙間から冷却媒体が漏れる恐れがあった。
また、上記特許文献１では、ガスケット本体の表裏面の全域に弾性体をコーティングする必要があり、製作が煩雑であり且つ高価なものとなっていた。さらに、上記特許文献３では、２重筒構造であるので、製作が煩雑であり且つ高価なものとなっていた。
【０００７】
また、上記特許文献１には、エンジンヘッド等に用いられる高温用ガスケットが開示されている。また、上記特許文献２には、オイルシール等に用いられる高温用ガスケットが開示されている。さらに、上記特許文献３には、衝撃荷重発生時にも高密封性を示すガスケットが開示されている。
しかし、上記特許文献１〜３は、上述のサブゼロ処理槽等のように低温で使用される収容容器の密封に好適に用いられる低温用ガスケットを提供することを目的としていない。
【０００８】
【特許文献１】特開平１１−２３６９７４号公報
【特許文献２】実開昭６１−１９８７７０号公報
【特許文献３】特開平２−１８６１６４号公報
【発明の開示】
【発明が解決しようとする課題】
【０００９】
本発明は、上記現状に鑑みてなされたものであり、低温で使用される収容容器等の一対の被密封面の間をより確実に密封することができる低温用ガスケット、それを用いる収容容器及びその密封方法を提供することを目的とする。
【課題を解決するための手段】
【００１０】
本発明は、以下の通りである。
１．一対の被密封面の間に設けられる低温用ガスケットであって、
弾性を有する金属板材をＶ字状に折り曲げてなるガスケット本体を備え、該ガスケット本体は、第１板状部及び第２板状部と、該第１板状部及び該第２板状部を連結する円弧状部と、を有することを特徴とする低温用ガスケット。
２．前記第１板状部の自由端縁側に、前記一対の被密封面のうちの一方の被密封面に接触可能であるシール部材が設けられている上記１．記載の低温用ガスケット。
３．前記第１板状部及び前記第２板状部のうちの少なくとも一方の板状部の内表面側に、他方の板状部の内表面側が接触可能である保護部材が設けられている上記１．又は２．に記載の低温用ガスケット。
４．前記金属板材が、オーステナイト系ステンレス鋼からなる上記１．乃至３．のいずれか一項に記載の低温用ガスケット。
５．前記金属板材が、銅又は銅合金からなる上記１．乃至３．のいずれか一項に記載の低温用ガスケット。
６．上方を開放してなる容器本体と、該容器本体の上方を閉塞する蓋体と、該容器本体及び該蓋体のそれぞれの被密封面の間に介在される上記１．乃至５．のいずれか一項に記載の低温用ガスケットと、を備えることを特徴とする収容容器。
７．上方を開放してなる容器本体の被密封面と、該容器本体の上方を閉塞する蓋体の被密封面との間に、上記１．乃至５．のいずれか一項に記載の低温用ガスケットを介在させることを特徴とする収容容器の密封方法。
【発明の効果】
【００１１】
本発明の低温用ガスケットによると、ガスケット本体がＶ字状に形成されているので、ガスケット本体を、弾性変形し易く、且つ、被密封面に対する接触面積の比較的小さなものとすることができる。従って、本低温用ガスケットによって、サブゼロ処理槽等の低温で使用される収容容器の容器本体及び蓋体の間を密封する場合、ガスケット本体の弾性変形によって、蓋体全体のたわみを十分吸収したり、蓋体の局所的な変形に追随したりでき、容器本体及び蓋体の間をより確実に密封することができる。
また、前記第１板状部の自由端縁側にシール部材が設けられている場合は、シール部材の弾性変形によりシール部材が被密封面に面接触するので、その密封性を更に向上させることができる。
また、前記第１板状部及び前記第２板状部のうちの少なくとも一方の板状部の内表面側に、他方の板状部の内表面側が接触可能である保護部材が設けられている場合は、第１板状部及び第２板状部の間にある保護部材によって、両板状部の無理な近接移動が規制され、円弧状部のつぶれ等を抑制できる。
また、前記金属板材が、オーステナイト系ステンレス鋼からなる場合は、ガスケット本体を、低温脆性及び弾性に優れたものとすることができる。
また、前記金属板材が、銅又は銅合金からなる場合は、ガスケット本体を、低温脆性及び弾性に優れたものとすることができる。
本発明の収容容器によると、容器本体及び蓋体の各被密封面の間に上述の低温用ガスケットが介在される。従って、本収容容器がサブゼロ処理槽等の低温で使用されるものであっても、ガスケット本体の弾性変形によって、蓋体全体のたわみを十分吸収したり、蓋体の局所的な変形に追随したりでき、容器本体及び蓋体の間をより確実に密封できる。
本発明の収容容器の密封方法によると、容器本体及び蓋体の各被密封面の間に上述の低温用ガスケットが介在される。従って、本収容容器がサブゼロ処理槽等の低温で使用されるものであっても、ガスケット本体の弾性変形によって、蓋体全体のたわみを十分吸収したり、蓋体の局所的な変形に追随したりでき、容器本体及び蓋体の間をより確実に密封できる。
【発明を実施するための最良の形態】
【００１２】
１．低温用ガスケット
本実施形態に係る低温用ガスケットは、以下に述べるガスケット本体を備えている。この低温用ガスケットは、一対の被密封面の間に設けられる。
【００１３】
上記「ガスケット本体」は、弾性を有する金属板材をＶ字状に折り曲げてなり、後述する第１板状部、第２板状部及び円弧状部を有している。このガスケット本体は、通常、長尺状に形成されている。
上記金属板材の材質としては、低温脆性に優れ且つ弾性を有する金属種であれば特に限定されず、例えば、ステンレス鋼（好ましくはオーステナイト系ステンレス鋼）、銅、銅合金等を挙げることができる。上記オーステナイト系ステンレス鋼としては、例えば、ＳＵＳ３０２、ＳＵＳ３０４、ＳＵＳ３１６等を挙げることができる。より安価であるといった観点から、ＳＵＳ３０４であることが好ましい。上記銅又は銅合金としては、例えば、洋白、りん青銅、黄銅、ベリリウム銅等を挙げることができる。
【００１４】
上記洋白は、ばね用洋白であることが好ましい。このばね用洋白とは、ばね用材料としてばね限界値が規定されている、銅５４〜５８％、ニッケル１６．５〜１９．５％、残り亜鉛からなる合金（ＪＩＳ  Ｈ３１００〜３５１０−１９９２に記載されている材質を示す記号Ｃ７７０１）である。
上記りん青銅は、ばね用りん青銅であることが好ましい。このばね用りん青銅とは、ばね用材料としてばね限界値が規定されている、すず７〜９％を含むりん青銅（Ｃ５２１０）である。
上記黄銅は、銅を主成分（５９〜７１．５％）とする亜鉛との合金（Ｃ２６００〜Ｃ２８０１）であることが好ましい。
上記ベリリウム銅は、ばね用ベリリウム銅であることが好ましい。このばね用ベリリウム銅とは、ばね用材料として特に時効硬化処理条件及びばね限界値が規定されているベリリウム銅（Ｃ１７００、Ｃ１７２０）である。
【００１５】
上記「第１板状部」は、上記ガスケット本体がＶ字状を示し得る限り、その形状、大きさ等は特に問わない。この第１板状部としては、例えば、平板状、湾曲板状、波板状等を挙げることができる。通常、平板状である。
上記第１板状部は、上記一対の被密封面のうちの一方の被密封面に圧接される。このとき、上記第１板状部は、例えば、その自由端縁側が一方の被密封面に直接接触することができる。
【００１６】
上記「第２板状部」は、上記ガスケット本体がＶ字状を示し得る限り、その形状、大きさ等は特に問わない。この第２板状部としては、例えば、平板状、湾曲板状、波板状等を挙げることができる。通常、平板状である。
上記第２板状部は、例えば、上記一対の被密封面のうちの他方の被密封面に固定されることができる。この固定形態としては、例えば、溶接、ろう付け、接着剤による接着、ビス止め等を挙げることができる。
【００１７】
ここで、上記第１板状部及び第２板状部のなす角度は、ガスケット本体がＶ字状を示し得る限り特に問わないが、２０〜７０度、特に３０〜５０度であることが好ましい。また、上記第１板状部及び第２板状部の板厚さは、０．０５〜２ｍｍ、特に０．１〜０．５ｍｍであることが好ましい。また、上記第１板状部の板幅ｌ（図６参照）は、２０〜１５０ｍｍ、特に３０〜１００ｍｍであることが好ましい。さらに、上記第２板状部の板幅は、１〜１５０ｍｍ、特に２〜１００ｍｍであることが好ましい。
なお、上記第１板状部及び第２板状部の形状、大きさ等は、同一のものであってもよいし、異なるものであってもよい。
【００１８】
上記「円弧状部」は、上記第１板状部及び第２板状部を連結する限り、その形状、大きさ等は特に問わない。この円弧状部の縦断面形状としては、例えば、（１）所定の曲率半径の円弧からなる形態、（２）２以上の異なる曲率半径の円弧からなる形態等を挙げることができる。
上記曲率半径は、０．１〜１０ｍｍ、特に０．５〜３ｍｍであることが好ましい。
【００１９】
密封性をより高め得るといった観点から、上記第１板状部の自由端縁側に弾性を有するシール部材を設け、このシール部材が、弾性変形を伴って一方の被密封面に面接触することが好ましい。
【００２０】
上記シール部材は、例えば、線状（例えば、コード状、テープ状等）に形成され、ガスケット本体の長尺方向に沿って設けられていることができる。また、上記シール部材の材質としては、例えば、フッ素系樹脂、フッ素系ゴム、フッ素系エラストマ、シリコン樹脂、シリコンゴム等を挙げることができる。上記フッ素系樹脂としては、例えば、テトラフルオロエチエン（ＰＴＦＥ）、フッ化エチレンポリプロピレンコポリマー（ＦＥＰ）、テトラフルオロエチレン−パーフロロアルキルビニルエーテルコポリマー（ＰＦＡ）、テトラフルオロエチレン−エチレンコポリマー（ＥＴＦＥ）、ポリクロロトリフルオロエチレン（ＰＣＴＦＥ）、ポリフッ化ビニリデン（ＰＶＤＦ）等を挙げることができる。かかる部材としては、例えば、繊維状等に柔らかい処理がされたニチアス社製「ニチアス  ソフトシール」（登録商標）、日本バルカー社製「コードシールソフト」（登録商標）などが例示される。なお、使用に際しては、装置条件や運転条件で適宜選択することが好ましい。
【００２１】
ガスケット本体の損傷等を抑制し得るといった観点から、上記第１板状部及び第２板状部の間には、例えば、両板状部の無理な近接移動を規制する保護部材が設けられていることができる。この保護部材の配設形態としては、例えば、（１）第１板状部の内表面側にのみ設けられている形態、（２）第２板状部の内表面側に設けられている形態、（３）第１板状部及び第２板状部の各内表面側に設けられている形態等を挙げることができる。
【００２２】
上記保護部材は、例えば、線状（例えば、コード状、テープ状）に形成され、ガスケット本体の長尺方向に沿って設けられていることができる。また、上記保護部材は、弾性を有する材料からなることが好ましく、その材料としては、例えば、金属、樹脂、ゴム、エラストマ等を挙げることができる。上記金属としては、例えば、炭素鋼、合金鋼、銅、銅合金、ニッケル、ニッケル合金等を挙げることができる。上記樹脂としては、例えば、フッ素系樹脂、シリコン樹脂、オレフィン系樹脂、ポリアミド系樹脂、ポリエステル系樹脂、エポキシ樹脂、フェノール樹脂、不飽和ポリエステル樹脂等を挙げることができる。上記ゴムとしては、例えば、フッ素系ゴム、シリコンゴム、ブタジエンゴム、イソプレンゴム、ウレタンゴム、アクリルゴム等を挙げることができる。上記エラストマとしては、例えば、フッ素系エラストマ、オレフィン系エラストマ、ウレタン系エラストマ、１，２−ポリブタジエン系エラストマ等を挙げることができる。上記フッ素系樹脂としては、例えば、テトラフルオロエチエン（ＰＴＦＥ）、フッ化エチレンポリプロピレンコポリマー（ＦＥＰ）、テトラフルオロエチレン−パーフロロアルキルビニルエーテルコポリマー（ＰＦＡ）、テトラフルオロエチレン−エチレンコポリマー（ＥＴＦＥ）、ポリクロロトリフルオロエチレン（ＰＣＴＦＥ）、ポリフッ化ビニリデン（ＰＶＤＦ）等を挙げることができる。かかる部材としては、例えば、繊維状等に柔らかい処理がされたニチアス社製「ニチアス  ソフトシール」（登録商標）、日本バルカー社製「コードシールソフト」（登録商標）などが例示される。なお、使用に際しては、装置条件や運転条件で適宜選択することが好ましい。
なお、上記保護部材で使用できる弾性材料として、各種金属、樹脂、ゴム、エラストマ等の広範囲な材質を例示したが、これは、保護部材を第１及び第２板状部の外側に設置する場合、その保護部材は外気雰囲気にあり温度制限がないためである。
【００２３】
２．収容容器
本実施形態に係る収容容器は、上述の低温用ガスケット、並びに以下に述べる容器本体及び蓋体を備えている。この収容容器は、例えば、サブゼロ処理槽等のように所定の処理を伴って低温冷却及び／又は低温保持を行うものであったり、冷凍庫等のように所定の処理を伴わず低温保持及び／又は低温冷却を行うものであったりすることができる。
上記収容容器内には、例えば、液化窒素又は冷窒素ガス等の冷却媒体が供給されることができる。そして、この収容容器内は、例えば、低温状態（例えば、−５０℃以下）とされることができる。さらに、この収容容器内は、例えば、常圧から加圧状態（例えば、０〜１０，０００Ｐａ）までとされることができる。
【００２４】
上記「容器本体」は、上方を開放してなる限り、その形状、大きさ、材質等は特に問わない。上記容器本体の側壁の厚さは、ＪＩＳ  Ａ９５０１の保温保冷工事施工標準等により、経済的な保冷厚さを選定することが望ましい。
【００２５】
上記「蓋体」は、上記容器本体の上方の開放部を閉塞し得る限り、その形状、大きさ、材質等は特に問わない。この蓋体は、通常、容器本体の上縁部に載置される。
【００２６】
上記容器本体及び上記蓋体の各被密封面の間には上述の低温用ガスケットが介在されている。この低温用ガスケットの配設形態としては、例えば、（１）容器本体の被密封面に低温用ガスケットの第２板状部が固定され、且つ、蓋体の被密封面に低温用ガスケットの第１板状部が圧接される形態、（２）蓋体の被密封面に低温用ガスケットの第２板状部が固定され、且つ、容器本体の被密封面に低温用ガスケットの第１板状部が圧接される形態等を挙げることができる。
【００２７】
なお、上記収容容器は、例えば、複数本の低温用ガスケットのうちの、隣り合う低温用ガスケットの長尺方向の両端側に形成された傾斜部が互いに突き合わされて、１つの連続する環状ガスケット体が形成されていることができる。上記収容容器が平面矩形状に形成されている場合は、通常、上記低温用ガスケットは４本用いられる。
また、上記低温用ガスケットは、例えば、上記収容容器を密封した際に、ガスケット本体のうち、特に円弧状部にかかる最大応力がガスケット本体の材料（例えば、ステンレス鋼）の耐力以下の値であることができる。また、上記保護部材を使用する場合にあっては、最大応力が材料の耐力を超えても良い。
【００２８】
３．収容容器の密封方法
本実施形態に係る収容容器の密封方法は、上述の収容容器の密封方法であって、上記容器本体の被密封面と、上記蓋体の被密封面との間に、上記低温用ガスケットを介在させることを特徴とする。
上記密封方法では、例えば、低温用ガスケットのガスケット本体の弾性変形によって、蓋体全体のたわみが吸収されることができる。また、上記密封方法では、例えば、低温用ガスケットのガスケット本体の弾性変形によって、蓋体の局所的な変形（図９参照）が吸収されることができる。
【実施例】
【００２９】
以下、図面を用いて実施例により本発明を具体的に説明する。
なお、本実施例では、本発明に係る収容容器としてサブゼロ処理槽を例示する。
【００３０】
（１）サブゼロ処理槽の構成
本実施例に係るサブゼロ処理槽１は、図１に示すように、上方を開放してなる平面矩形状の容器本体１１と、この容器本体１１の上端面に載置されて容器本体１１の上方開放部を閉塞する蓋体１２と、を備えている。この容器本体１１及び蓋体１２の間には、後述する低温用ガスケットが設けられている。上記容器本体１１及び蓋体１２の内部には断熱材が設けられている。
【００３１】
上記容器本体１１の側壁には、液化窒素ボンベ（図示せず）に連なる供給配管１１１が接続されている。この供給配管１１１の複数の供給ノズル１１２から液化窒素が容器本体の内部空間に噴射されるようになっている。また、容器本体１１の底壁には、容器本体１１の内部の冷却媒体を排気するための排気配管１１３が接続されている。
なお、上記容器本体１１の長尺方向の長さは３６００ｍｍとされ、短尺方向の長さは５００ｍｍとされている。また。容器本体１１の側壁の厚さは１００ｍｍとされている。
【００３２】
（２）低温用ガスケットの構成
本実施例に係る低温用ガスケット１３は、図２及び図３に示すように、オーステナイト系ステンレス鋼（ＳＵＳ３０４）からなり且つ板厚さが０．２ｍｍの金属板材をＶ字状に折り曲げてなる長尺状のガスケット本体１３１を備えている。
【００３３】
上記ガスケット本体１３１は、平板状の第１板状部１３１ａ及び第２板状部１３１ｂと、これら第１及び第２板状部１３１ａ，１３１ｂを連結する曲率半径１ｍｍの円弧状部１３１ｃと、を有している。上記第１及び第２板状部１３１ａ，１３１ｂの板幅ｌ（図６参照）は５０ｍｍとされている。また、第１及び第２板状部１３１ａ，１３１ｂの間の角度は４５度とされている。
なお、上記金属板材を、折り曲げ機で折り曲げることによって、上記第１板状部１３１ａ、第２板状部１３１ｂ及び円弧状部１３１ｃが形成されることとなる。
【００３４】
上記第１板状部１３１ａの自由端縁部の外表面側には、コード状でフッ素系樹脂（テトラフルオロエチエン）（商品名「ニチアス  ソフトシール」；ニチアス社製）からなるシール部材１３２が粘着剤により接着されている。そして、本低温用ガスケット１３で容器本体１１及び蓋体１２の間を密封する際に、弾性変形を伴ってシール部材１３２が蓋体１２の下端面（被密封面）に面接触するようになっている（図４参照）。
【００３５】
上記第２板状部１３１ｂは、容器本体１１の上端面（被密封面）に両面テープにより接着され、ガスケット本体１３１のＶ字状の開口が容器本体１１の外側方を向いている。
上記第２板状部１３１ｂの内表面側には、コード状でフッ素系樹脂（テトラフルオロエチエン）（商品名「コードシールソフト」；日本バルカー社製）からなる保護部材１３３が粘着剤により接着されている。そして、本低温用ガスケット１３で容器本体１１及び蓋体１２の間を密封する際、槽内の内圧が比較的低い場合、第１板状部１３１ａの内表面側が保護部材１３３に圧接されるようになっている（図１１参照）。
【００３６】
なお、上記低温用ガスケット１３は４本用意され、図５に示すように、隣り合う低温用ガスケット１３の長尺方向の両端側に形成された傾斜部１３４が互いに突き合わされて、１つの連続する環状ガスケット体が形成される。
【００３７】
ここで、上記低温用ガスケット１３の各種寸法の選定形態について説明する。
図６に示すように、低温用ガスケット１３の第１板状部１３１ａの自由端縁に所定荷重（［蓋体の重さ］−［内圧］）がかかるものとして、ガスケット本体１３１の板厚さが０．１５ｍｍ、０．２ｍｍ、０．５ｍｍ、１．０ｍｍの４種類のものについて、円弧状部１３１ｃの曲率半径ｒを１ｍｍ、２ｍｍ、５ｍｍで変更した際のたわみ量ｆ及び最大応力を算出した。なお、上記第１板状部１３１ａの板幅ｌは５０ｍｍとされ、第２板状部１３１ｂは固定面に固定されているものとする。
【００３８】
その結果、たわみ量ｆについては、図７に示すように、曲率半径ｒが大きいほど、たわみ量ｆも大きくなる。また、板厚さが薄いほど、たわみ量ｆが大きくなる。また、最大応力については、図８に示すように、曲率半径ｒが大きいほど、最大応力も大きくなる。ただし、この最大応力は、材料（ＳＵＳ３０４）の耐力（６６５Ｎ／ｍｍ２）以下の範囲であることが条件となる。また、板厚さが薄いほど、最大応力が大きくなる。
以上より、最大応力が耐力以下であり、且つ、必要なたわみ量を確保できるものを選定することが好ましい。従って、本実施例では、上述のように、板厚さが０．２ｍｍ、曲率半径ｒが１ｍｍのガスケット本体１３１を有する低温用ガスケット１３を採用している。
なお、第１板状部１３１ａの板幅ｌを変更したり、第１板状部１３１ａ及び第２板状部１３１ｂの間の角度を変更したりして、各種寸法を選定することもできる。
【００３９】
（３）サブゼロ処理槽の作用
上記サブゼロ処理槽１によるサブゼロ処理では、容器本体１１内に被冷却物として複数の鋼板（図示せず）が収納され、供給ノズル１１２から液化窒素が噴射される。すると、槽内の温度が−１００℃とされ、内圧が５００Ｐａとされる。このサブゼロ処理中に、図１に仮想線で示すように、蓋体１２全体のたわみが発生することがあるが、低温用ガスケット１３のガスケット本体１３１の弾性変形によって蓋体１２全体のたわみが吸収され、容器本体１１及び蓋体１２の間は密封された状態が保持されることとなる。
【００４０】
また、上記サブゼロ処理中に、図９に示すように、蓋体１２の局所的な変形として、蓋体１２が上側に変形した変形箇所Ｔ１、蓋体１２の変形のない通常箇所Ｔ２、及び蓋体１２が下側に変形した変形箇所Ｔ３が連続して発生する場合がある。上記変形箇所Ｔ１における低温用ガスケット１３の第１板状部１３１ａは、図１０に示すように、通常箇所Ｔ２での第１板状部１３１ａ（図中仮想線で示す。）より上方位置に位置している。また、上記変形箇所Ｔ３における低温用ガスケット１３の第１板状部１３１ａは、図１１に示すように、通常箇所Ｔ２での第１板状部１３１ａ（図中仮想線で示す。）より下方位置に位置しており、さらに第１板状部１３１ａの内表面側が保護部材１３３に圧接して支持されている。その結果、低温用ガスケット１３のガスケット本体１３１の弾性変形によって、蓋体１２の局所的な変形が吸収され、容器本体１１及び蓋体１２の間は密封された状態が保持されることとなる。
【００４１】
（４）実施例の効果
以上より、本実施例の低温用ガスケット１３では、ガスケット本体１３１をＶ字状に形成したので、弾性変形し易く、且つ、被密封面に対する接触面積の比較的小さなものとすることができる。従って、本低温用ガスケット１３によって、サブゼロ処理槽１の容器本体１１及び蓋体１２の間を密封する場合、ガスケット本体１３１の弾性変形によって、蓋体１２全体のたわみを十分吸収したり、蓋体１２の局所的な変形に追随したりでき、容器本体１１及び蓋体１２の間をより確実に密封することができる。また、従来のように、Ｚ字状やコ字状のガスケット本体を有するものや２重筒構造を有するものに比べて、簡易に折り曲げ成形することができ、製作コストを抑えることもできる。
【００４２】
また、本実施例の低温用ガスケット１３では、ガスケット本体（金属板材）１３１を、オーステナイト系ステンレス鋼製としたので、ガスケット本体１３１を、低温脆性及び弾性に優れたものとすることができる。しかも安価なものとすることができる。
【００４３】
また、本実施例の低温用ガスケット１３では、第１板状部１３１ａの自由端縁側にフッ素系樹脂からなるシール部材１３２を設けたので、弾性変形によりシール部材１３２が被密封面に面接触するので、その密封性を更に向上させることができる。さらに、第２板状部１３１ｂの内表面側にフッ素系樹脂からなる保護部材１３３を設けたので、第１板状部１３１ａの無理な弾性変形が規制され、円弧状部のつぶれ等を抑制できる。また、従来のように、ガスケット本体の表裏全面に弾性材をコーティングするものに比べて、シール部材１３２及び保護部材１３３を簡易に設けることができ、製作コストを抑えることもできる。
【００４４】
尚、本発明においては、上記実施例に限られず、目的、用途に応じて本発明の範囲内で種々変更した実施例とすることができる。即ち、上記実施例では、容器本体１１側に低温用ガスケット１３を固定するようにしたが、これに限定されず、例えば、図１２に示すように、蓋体１２側に低温用ガスケット１３を固定するようにしてもよい。これにより、上記実施例の作用・効果に加えて、蓋体１２を取り外した状態の容器本体１１内に被冷却物を入れる際、その冷却物を低温用ガスケット１３にぶつけてしまうことを防止できるといった利点がある。
【００４５】
また、上記実施例では、ガスケット本体１３１のＶ字状の開口が容器本体１１の外側方を向くように低温用ガスケット１３を配設したが、これに限定されず、例えば、図１３に示すように、ガスケット本体１３１のＶ字状の開口が容器本体１１の内側方を向くように低温用ガスケット１３を配設したり、上方、下方又は斜め方向を向くように配設したりしてもよい。
また、本実施例では、ガスケット本体１３１に別部材の保護部材１３３を固着するようにしたが、これに限定されず、例えば、ガスケット本体１３１の一部を突起状に形成して保護部材としてもよい。
【産業上の利用可能性】
【００４６】
一対の被密封面の間を密封する低温用ガスケットとして利用される。特に、サブゼロ処理槽等の収容容器の容器本体及び蓋体の間を密封する低温用ガスケットとして好適に利用される。
【図面の簡単な説明】
【００４７】
【図１】本実施例に係るサブゼロ処理槽の正面図である。
【図２】本実施例に係る低温用ガスケットの斜視図である。
【図３】容器本体から蓋体を取り外した状態を示すサブゼロ処理槽の要部縦断面図である。
【図４】容器本体に蓋体を取り付けた状態を示すサブゼロ処理槽の要部縦断面図である。
【図５】容器本体の要部平面図である。
【図６】各種寸法の選定形態を説明するための低温用ガスケットの模式図である。
【図７】低温用ガスケットの曲率半径とたわみ量との相関を示す説明図である。
【図８】低温用ガスケットの曲率半径と最大応力との相関を示す説明図である。
【図９】サブゼロ処理における蓋体の局所的な変形を説明するための説明図である。
【図１０】図９のＡ−Ａ線断面図である。
【図１１】図９のＢ−Ｂ線断面図である。
【図１２】低温用ガスケットのその他の配設形態を説明するための説明図である。
【図１３】低温用ガスケットの更にその他の配設形態を説明するための説明図である。
【符号の説明】
【００４８】
１；サブゼロ処理槽、１１；容器本体、１２；蓋体、１３；低温用ガスケット、１３１；ガスケット本体、１３１ａ；第１板状部、１３１ｂ；第２板状部、１３１ｃ；円弧状部、１３２；シール部材、１３３；保護部材。
【図１】
2006291984.tif 000003
【図２】
2006291984.tif 000004
【図３】
2006291984.tif 000005
【図４】
2006291984.tif 000006
【図５】
2006291984.tif 000007
【図６】
2006291984.tif 000008
【図７】
2006291984.tif 000009
【図８】
2006291984.tif 000010
【図９】
2006291984.tif 000011
【図１０】
2006291984.tif 000012
【図１１】
2006291984.tif 000013
【図１２】
2006291984.tif 000014
【図１３】
2006291984.tif 000015